(57)【要約】【課題】静電効果を安定的に発揮させることができるようにする。【解決手段】本発明の静電噴霧装置は、導電性材料で形成された噴霧ノズル１７と、該噴霧ノズル１７から噴出される液滴の拡散範囲の外側に近接するように配設された環状電極１９との間に高電圧を加えることにより、前記液滴を帯電させるように構成されている。そして、環状電極１９は、絶縁性材料からなる電極ホルダ１８で噴霧ノズル１７に結合され、該電極ホルダ１８は、噴霧ノズル１７と環状電極１９との間に落下する前記液滴を外へ逃がすための開口２５を有している。【選択図】　　　図４
2004122091.tif 000002
【特許請求の範囲】
【請求項１】
導電性材料で形成された噴霧ノズルと、該噴霧ノズルから噴出される液滴の拡散範囲の外側に近接するように配設された電極との間に高電圧を加えることにより、前記液滴を帯電させるように構成された静電噴霧装置であって、
前記電極は、絶縁性材料からなる電極ホルダで前記噴霧ノズルに結合され、
該電極ホルダは、前記噴霧ノズルと前記電極との間に落下する前記液滴を外へ逃がすための開口又は切欠を有する静電噴霧装置。
【請求項２】
前記噴霧ノズル、前記電極、及び前記電極ホルダが一体的に結合されたノズルユニットを備え、
該ノズルユニットと、該ノズルユニットを操作するためのグリップ部とがコネクタを介して着脱可能に接続された請求項１記載の静電噴霧装置。
【請求項３】
前記コネクタは、前記噴霧ノズルに液体を送る液体通路と、前記電極に高電圧を送る送電路とを同時に分離・結合するように構成された請求項２記載の静電噴霧装置。
【請求項４】
前記ノズルユニットは、２以上の噴霧ノズルと、該２以上の噴霧ノズルに対応する電極とを備えた請求項２又は３記載の静電噴霧装置。
【請求項５】
前記ノズルユニットは、該ノズルユニットを前記グリップ部に対して間隔をおいて支持するための支持体の長さ方向に対して、前記噴霧ノズルの噴霧中心方向が最大９０°の角度を有するように構成された請求項２〜４のいずれか一項に記載の静電噴霧装置。
【請求項６】
前記グリップ部は、前記電極に高電圧を加えるための高電圧発生装置と、該高電圧発生装置を制御するための制御スイッチと、該高電圧発生装置を駆動するための蓄電池とを少なくとも内蔵した請求項２〜５のいずれか一項に記載の静電噴霧装置。
【請求項７】
噴霧中心方向から所定範囲以上に液滴が飛散することを防止するように噴霧の周囲を囲う飛散防止カバーを前記電極の前側に備えた請求項１〜６のいずれか一項に記載の静電噴霧装置。
【請求項８】
前記飛散防止カバーは、前記電極ホルダに着脱可能に構成された請求項７記載の静電噴霧装置。
【請求項９】
前記飛散防止カバーは、その内側に付着した液滴を外へ逃がすための開口又は切欠を前記電極側に有する請求項７又は８記載の静電噴霧装置。
【請求項１０】
前記飛散防止カバーは、絶縁性材料からなる請求項７〜９のいずれか一項に記載の静電噴霧装置。
【請求項１１】
前記噴霧ノズル及び前記電極を遠隔支持するための支持体に対して該噴霧ノズル及び該電極を回動可能に支持する回動部を備えるとともに、
該回動部の回動角度を前記支持体の遠隔支持側で操作するための遠隔操作部を備えた請求項１〜１０のいずれか一項に記載の静電噴霧装置。
【発明の詳細な説明】
【０００１】
【発明の属する技術分野】
本発明は、静電気を利用して薬液等の農業用液体の液滴を効率よく農作物に付着させる静電噴霧装置に関するものである。
【０００２】
【従来の技術】
従来の静電噴霧装置として、まず、図１１に示す静電噴霧装置を例示する。この静電噴霧装置は、噴霧ノズル７７の噴射口より噴出する薬液等の拡散範囲８０の外側に近接させて、高電位に維持される環状電極７９が噴射口の前方に配設されている。環状電極７９は、噴射口の前方に向かってテーパ状に拡径した筒状の絶縁性材料からなる電極ホルダ７８により、噴霧ノズル７７に結合されている。
【０００３】
また、この静電噴霧装置の変更例として、特許文献１に開示された噴霧ノズル装置を挙げる。この装置は、噴霧ノズルの噴射口より噴出する薬液等の拡散範囲の外側に近接させて、高電位に維持される複数の環状電極が噴射口の前方に互いに隔離して順次径大に配設されている。この構成により、帯電効率が向上し作物等への薬液等の付着性が向上することができ、また一部の環状電極がリークしても帯電効果が維持できる旨が、本文献には記載されている。
【０００４】
【特許文献１】
実開平３−１０２２５６号公報（実願平２−１０６９１号）
【０００５】
【発明が解決しようとする課題】
ところが、従来の静電噴霧装置の構成では、噴霧ノズル７７や環状電極７９から落下した薬液等の液滴８１は電極ホルダ７８の中に溜まり、環状電極７９と噴霧ノズル７７の間の実効距離が短くなって高電圧リークが発生することがあり、静電効果が得られないことがある。
【０００６】
また、特許文献１に開示された噴霧ノズル装置の構成では、電極構造が複雑となり組立性が悪く部品コストも高くなる。また、一部の環状電極がリークすれば高電圧発生装置は作動しなくなるのが一般的であるだけでなく、構造的に薬液等が電極部に溜まることは避けられない。従って、従来の構成でリークを防止することは困難であり、場合によっては静電効果が全く得られないことも十分に考えられる。
【０００７】
本発明の目的は、上記課題を解決し、静電効果を安定的に発揮させることができる静電噴霧装置を提供することにある。
【０００８】
【課題を解決するための手段】
上記目的を達成するために、本発明の静電噴霧装置は、導電性材料で形成された噴霧ノズルと、該噴霧ノズルから噴出される液滴の拡散範囲の外側に近接するように配設された電極との間に高電圧を加えることにより、前記液滴を帯電させるように構成された静電噴霧装置であって、前記電極は、絶縁性材料からなる電極ホルダで前記噴霧ノズルに結合され、該電極ホルダは、前記噴霧ノズルと前記電極との間に落下する前記液滴を外へ逃がすための開口又は切欠を有している。
【０００９】
この構成によれば、噴霧薬液が前記電極と前記噴霧ノズルの間に溜まらないので、高電圧リークの発生を防止することができ、所定の静電効果を安定的に発揮させることができる。また、従来例とは異なり、前記電極が一つであるためコスト的に有利である。
【００１０】
前記噴霧ノズル、前記電極、及び前記電極ホルダが一体的に結合されたノズルユニットを備え、該ノズルユニットと、該ノズルユニットを操作するためのグリップ部とがコネクタを介して着脱可能に接続された態様を例示する。
【００１１】
この構成によれば、前記ノズルユニットを適宜交換することができるので、液体の種類や、噴霧対象の植物の種類に応じて最適な態様（前記噴霧ノズルの噴霧角度、前記噴霧ノズルのノズル穴のサイズ、前記電極のサイズ、前記噴霧ノズルと前記電極の間隔等）のものを適宜使用することができる。
【００１２】
前記コネクタは、前記噴霧ノズルに液体を送る液体通路と、前記電極に高電圧を送る送電路とを同時に分離・結合するように構成された態様を例示する。
【００１３】
この構成によれば、前記液体通路と前記送電路とを別々に分離・結合する手間を省くことができ、前記ノズルユニットを簡単に交換することができるので、作業性がよい。
【００１４】
前記ノズルユニットは、２以上の噴霧ノズルと、該２以上の噴霧ノズルに対応する電極とを備えた態様を例示する。
【００１５】
この構成によれば、前記液体を広範囲に噴出させることができ、作業性がよい。
【００１６】
前記ノズルユニットは、該ノズルユニットを前記グリップ部に対して間隔をおいて支持するための支持体の長さ方向に対して、前記噴霧ノズルの噴霧中心方向が最大９０°の角度を有するように構成された態様を例示する。
【００１７】
この構成によれば、農作物への最適噴霧方向へ噴霧することができる。
【００１８】
前記グリップ部は、前記電極に高電圧を加えるための高電圧発生装置と、該高電圧発生装置を制御するための制御スイッチと、該高電圧発生装置を駆動するための蓄電池とを少なくとも内蔵した態様を例示する。
【００１９】
この構成によれば、高電圧発生用の部品を前記グリップ部に集中配置しているので、例えば前記高電圧発生装置や前記蓄電池を該グリップ部とは別体に構成する場合に必要となる接続ケーブルを省くことができ、操作性が向上する。また、この部品の集中配置により、高電圧発生用の部品のメンテナンス性も向上する。
【００２０】
なお、前記液滴のもととなる液体としては、土壌や植物等に散布する液体であれば特に限定されないが、薬液、液肥等を例示する。
【００２１】
前記静電噴霧装置としては、噴霧中心方向から所定範囲以上に液滴が飛散することを防止するように噴霧の周囲を囲う飛散防止カバーを前記電極の前側に備えた態様を例示する。この飛散防止カバーの形状としては、特に限定されないが、噴霧中心と同心の円筒状又は円錐状に形成することを例示する。
【００２２】
この構成によれば、前記電極の前側から該電極外周側を経て電極後方に向かう電気力線に沿って液滴が飛散することを防止することができる。
【００２３】
前記飛散防止カバーは、前記電極ホルダに着脱可能に構成された態様を例示する。
【００２４】
この構成によれば、前記噴霧ノズルと前記電極との間の印加電圧を高めに設定している場合のように、液滴が前記電極後方に飛散し易い場合に、必要に応じて飛散防止カバーを取り付けることができる。
【００２５】
前記飛散防止カバーは、その内側に付着した前記液滴を外へ逃がすための開口又は切欠を前記電極側に有する態様を例示する。
【００２６】
この構成によれば、特に上方に向けて噴霧しているときに噴霧薬液が前記飛散防止カバー内側に溜まるのを防止することができる。
【００２７】
前記飛散防止カバーは、絶縁性材料からなる態様を例示する。
【００２８】
また、前記静電噴霧装置としては、前記噴霧ノズル及び前記電極を遠隔支持するための支持体に対して該噴霧ノズル及び該電極を回動可能に支持する回動部を備えるとともに、該回動部の回動角度を前記支持体の遠隔支持側で操作するための遠隔操作部を備えた態様を例示する。
【００２９】
前記遠隔操作部としては、特に限定されないが、手動又は電動で駆動することを例示する。
【００３０】
また、前記遠隔操作部としては、特に限定されないが、次のように構成された態様を例示する。
（１）前記支持体と略平行に延びる回転軸を設け、該回転軸を遠隔支持側で回転させ、該回転軸の回動部側でその回転を食い違い歯車により前記回動部に伝動するように構成した態様。
（２）前記回動部の噴霧ノズル側部位にレバーを設けるとともに、該レバーに前記支持体と略平行に延びるリンクを連結し、該リンクを遠隔支持側でリンク長さ方向に移動させ、その移動を該リンク及び該レバーを介して前記回動部に伝動するように構成した態様。
（３）前記回動部の噴霧ノズル側部位における回動軸と同心位置にプーリを設けるとともに、該プーリに巻き掛けたワイヤを遠隔支持側まで延設し、該ワイヤを遠隔支持側で引いたり緩めたりすることにより移動させ、その移動を該ワイヤ及び該プーリを介して前記回動部に伝動するように構成した態様。
【００３１】
これらの構成によれば、高電圧が印加されたノズル部に触れることなく、その回動角度を調整することができる。
【００３２】
【発明の実施の形態】
以下、本発明を具体化した第一実施形態の静電噴霧装置について、図１〜図６を参照して説明する。図１は、本発明の静電噴霧装置の全体構成を示しており、本静電噴霧装置は、作物の病気や虫の防除用薬液を収容し供給するための薬液供給部としての収容タンク１と、該収容タンク１から供給される薬液を加圧する薬液圧力発生部としてのポンプ２と、該薬液圧力発生部の吐出口にホース３を介して接続された手持ち式ノズル部９とを備えている。ポンプ２としては、噴霧するための所定の噴霧圧力が得られるものであれば特に限定されないが、エンジンやモータ等の原動機で駆動されるものを例示する。
【００３３】
手持ち式ノズル部９は、手持ち用のグリップ部４と、該グリップ部４の先端側に取り付けられた支持体としての噴管１１と、該噴管１１の先端にコネクタ１４を介して着脱可能に接続されたノズルユニット３１とを備えている。
【００３４】
グリップ部４は、その基端側にホース３が接続され、該ホース３からの薬液供給を制御するための薬液供給制御弁５と、直流高電圧を発生させるための高電圧発生装置６と、高電圧発生装置６の駆動源としての蓄電池７と、高電圧発生装置６の動作を制御する高電圧制御スイッチ１０とを内蔵するとともに、薬液供給制御弁５及び高電圧制御スイッチ１０を操作するための操作レバー８を備えている。操作レバー８を図１における矢印方向に回動すると、薬液供給制御弁５及び高電圧制御スイッチ１０が略同時に作動するようになっている。
【００３５】
高電圧発生装置６は、図２に示すように構成されている。蓄電池７の直流供給電気は発振回路３５で高周波に変調され、昇圧回路３６で昇電圧される。昇圧回路３６は巻き線型トランスが一般的であるが、コイル巻線型であるため重量が大きく、外形寸法も大きくなる欠点がある。昇圧回路３６から再び直流に戻すために整流回路３７があり、本構成で蓄電池７の直流１２Ｖから最終電極付加電圧の７ｋＶまで昇圧している。なお、噴管１１は高電圧発生装置６と共に接地されている構成である。また、万一に高電圧リークが発生すると高電圧発生装置６の作動が停止する機能は安全対策上では当然である。
【００３６】
図３は、発信回路３５及び昇圧回路３６を、例えば積層圧電トランス３８で構成した、いわゆる圧電インバータである。積層圧電トランス３８の構造は、ＰＺＴ（チタン酸ジルコン酸鉛）等の圧電材料に１次側及び２次側に電極をつけたものである。この積層圧電トランス３８の動作としては、１次側にトランスの共振周波数の電圧を印加してトランスを圧電効果により励振（電気→機械変換）させ、この機械的振動をさらに２次側での圧電効果（機械→電気変換）で発生した２次側の発生電力を取り出すものである。積層圧電トランス３８はＶＣＯ（発振回路）３９、コンパレータ４０、駆動回路４１、共振回路４２で所定の周波数で作動する。共振モードを利用するため、負荷（整流回路３７及びその環状電極側の回路）からの電流をモニタする電流検出回路４４、電流基準４５、積分器４６等で電流フィードバック制御をすることで共振周波数の最適制御を行っている。この圧電インバータは、巻き線型トランスを採用する場合と比べて小型化、高効率化に優れている。本例では、この圧電インバータを採用することにより、高電圧発生装置６のグリップ部４への内蔵を可能にし、静電噴霧装置の小型化を実現している。
【００３７】
噴管１１は、ノズルユニット３１をグリップ部４に対して間隔をおいて支持するためのもので、本例では長さが約５００ｍｍ、外径が約２０ｍｍの中空パイプ状に形成されている。噴管１１の内部には、薬液供給制御弁５からコネクタ１４へ薬液を供給する接続チューブ１２と、高電圧制御スイッチ１０からコネクタ１４へ高電圧を送電する高電圧ケーブル１３とが収容されている。この高電圧ケーブル１３は絶縁物で被覆されている。
【００３８】
コネクタ１４は、噴管側コネクタ１４ａと電極側コネクタ１４ｂに分かれており、図４に示すように薬液通路を分離・結合可能にするための薬液用コネクタ１５と、高電圧送電路を分離・結合可能にするための高電圧ケーブルコネクタ１６とを内蔵している。これにより、噴霧ノズル１７に薬液を送る薬液通路と、環状電極に高電圧を加える送電路とを同時に分離・結合するように構成されている。噴管側コネクタ１４ａと電極側コネクタ１４ｂは、噴管側コネクタ１４ａに外挿された取付キャップネジ３０によって、噴管１１の端面で共締めされることにより、結合されるようになっている。噴管側コネクタ１４ａには薬液通路に対応してＯリング２６が設けられ、結合時には圧接されるために薬液漏れは発生しない。また、両コネクタ１４ａ，１４ｂには高電圧ケーブルコネクタ１６が設けられ、高電圧ケーブル１３の端面に接続された電極端子２７、２８が導電性材料からなるコイルスプリング２９で接続されており、コネクタ１４の結合時には圧接されるようになっている。
【００３９】
ノズルユニット３１は、導電性材料で形成された噴霧ノズル１７と、該噴霧ノズル１７から噴出される液滴の拡散範囲の外側に近接するように配設された電極としての環状電極１９と、該環状電極１９を噴霧ノズル１７に結合する絶縁性材料からなる電極ホルダ１８とを備え、これらが一体的に結合されてなっている。
【００４０】
噴霧ノズル１７には、図５に示すように螺旋状に開口した小径穴を有するコア２１と、小径穴を有する平板状のディスク２２とがノズルホルダ２３で所定間隔で配置されている。本構成で加圧された薬剤が薬液用コネクタ１５を経てコア２１及びディスク２２を通過すると噴霧状に噴出される。特に本構成ではホローコーンと呼ばれる円錐外周部２０ａに集中した噴霧２０となる。従って、噴霧２０中の大部分の液滴が環状電極１９付近を通過するため、液滴の帯電効率が向上する効果がある。
【００４１】
電極ホルダ１８は、図４及び図６に示すように噴霧ノズル１７の外周に装着されるベース部１８ａと、該ベース部１８ａから環状電極１９の外周縁部に向けて延びる複数本（本例では４本。一本でもよい。）の柱部１８ｂと、該柱部１８ｂの先端に取り付けられ、環状電極１９を支持するとともに該環状電極１９の反噴霧ノズル１７側を覆う電極カバー部１８ｃとを備えている。本例では、複数の柱部１８ｂの間が、噴霧ノズル１７と環状電極１９との間に落下する液滴を電極ホルダ１８外へ逃がすための開口２５となっている。この開口２５の態様は、例示であって特に限定されず、例えば、噴霧ノズル１７と環状電極１９の間をホーン状の部材で連結し、該ホーン状の部材に穴又は切欠を設け、それを開口としてもよい。なお、電極カバー部１８ｃにより環状電極１９の反噴霧ノズル１７側を覆う構成としているのは、高電圧での安全対策のためである。
【００４２】
本構成での実施例として、環状電極１９への印加電圧を直流７ｋＶとし、該印加電圧でのリーク防止のために噴霧ノズル１７と環状電極１９の間隔Ｌ（図４参照）を７〜１０ｍｍに設定している。そして、この間隔Ｌをおいた状態で、噴霧ノズル１７から噴出される噴霧が環状電極１９に直接当たらないように、該環状電極１９の中心穴直径φＤ（図４参照）を３０ｍｍに設定している。また、動噴の条件としては、噴霧圧力を１．５ＭＰａ、流量を１．２Ｌ／ｍｉｎ、液滴の粒径を１５〜４０μｍに設定している。
【００４３】
以上のような構成で噴霧ノズル１７からの噴霧２０は誘導帯電されることになる。例えば、環状電極１９に直流正電圧を印加すると、噴霧ノズル１７先端の液滴はマイナスに誘導帯電される。この帯電した噴霧２０は、農作物に効率的に付着するので、帯電していない場合と比較して、全体噴霧量の大幅な削減が可能であり、地球環境に対する影響も少なくなる効果を有する。
【００４４】
以上のように構成された本実施形態の静電噴霧装置によれば、噴霧ノズル１７と環状電極１９とを結合する電極ホルダ１８は、噴霧ノズル１７と環状電極１９との間に落下する噴霧薬液の液滴を外へ逃がすための開口２５を有しているので、噴霧薬液が電極ホルダ１８の内部には溜まらず、開口２５を通過して外部へ流れ落ちるため、噴霧ノズル１７と環状電極１９の距離が実効的に変化しない。このため、高電圧でのリーク現象の発生を防止することができ、所定の静電効果を安定的に発揮させることができる。また、従来例とは異なり、電極を一つの環状電極１９で構成しているため、コスト的に有利である。
【００４５】
また、噴霧ノズル１７、環状電極１９、及び電極ホルダ１８が一体的に結合されたノズルユニット３１を備え、該ノズルユニット３１と、該ノズルユニット３１を手持ちするためのグリップ部４とがコネクタ１４を介して着脱可能に接続されているので、ノズルユニット３１を適宜交換することができる。このため、液体の種類や、噴霧対象の植物の種類に応じて最適な態様（噴霧ノズル１７の噴霧角度、噴霧ノズル１７のノズル穴のサイズ、環状電極１９の中心穴直径φＤ、噴霧ノズル１７と環状電極１９の間隔Ｌ等）のノズルユニット３１を適宜使用することができる。
【００４６】
また、コネクタ１４は、噴霧ノズル１７に薬液を送る薬液通路と、環状電極に高電圧を加える送電路とを同時に分離・結合するように構成されているので、薬液通路と送電路とを別々に分離・結合する手間を省くことができ、ノズルユニット３１を簡単に交換することができ、作業性がよい。
【００４７】
また、グリップ部４は、環状電極１９に高電圧を加えるための高電圧発生装置６と、該高電圧発生装置６を制御するための高電圧制御スイッチ１０と、高電圧発生装置６を駆動するための蓄電池７とを少なくとも内蔵することにより、高電圧発生用の部品を集中配置しているので、例えば高電圧発生装置６や蓄電池７をグリップ部４とは別体に構成する場合に必要となる接続ケーブルを省くことができ、操作性が向上する。また、この部品の集中配置により、高電圧発生用の部品のメンテナンス性も向上する。
【００４８】
次に、図７は本発明を具体化した第二実施形態の静電噴霧装置を示している。本実施形態の静電噴霧装置は、以下の点において、主に第一実施形態と相違している。従って、第一実施形態と共通する部分には同一符号を付することにより重複説明を省く（他の実施形態についても同様）。
【００４９】
本実施形態の静電噴霧装置のノズルユニット５０は、２つの噴霧ノズル１７と、該各噴霧ノズル１７に対応する２つの穴を有する電極５１と、両噴霧ノズル１７及び電極５１の間を結合する１つの電極ホルダ５２と備えている。コネクタ１４は、第一実施形態と互換性のある構成としている。本例では、電極５１及び電極ホルダ５２は、２つの噴霧ノズル１７に共通の構成としているが、電極５１及び電極ホルダ５２を各噴霧ノズル１７ごとに独立した構成とすることもできる。さらに、必要噴霧量に対応して噴霧ノズル１７を３個以上備えた構成にすることもできる。
【００５０】
本実施形態によれば、第一実施形態の効果に加え、２つの噴霧ノズル１７と、該２つの噴霧ノズルに対応する電極５１とを備えているので、薬液を広範囲に噴出させることができ、作業性がよい。
【００５１】
次に、図８は本発明を具体化した第三実施形態の静電噴霧装置を示している。本実施形態の静電噴霧装置は、以下の点において、主に第一実施形態と相違している。
【００５２】
本実施形態の静電噴霧装置のノズルユニット５５は、コネクタ１４に角度変更コネクタ５６を追加した構成で、噴管１１の長さ方向に対して噴霧ノズル１７の噴霧中心方向が本例では９０°の角度を有するようにしている。種々の噴霧中心方向に設定されたノズルユニット５５を用意しておけば、農作物への最適噴霧方向に応じて最適なものを適宜取り付けて使用することができる。また、角度変更コネクタ５６が自在継ぎ手等の機構で自在に変更可能な構成にすることもできる。
【００５３】
本実施形態によれば、第一実施形態の効果に加え、農作物への最適噴霧方向へ噴霧することができる。
【００５４】
次に、図９及び図１０は本発明を具体化した第四実施形態の静電噴霧装置を示している。本実施形態の静電噴霧装置は、以下の点において、主に第一実施形態と相違している。
【００５５】
本実施形態の静電噴霧装置のグリップ部４は、蓄電池７をグリップ部４の外部に出して、グリップ部４とは別体に構成している。そして、使用時間を多くするために大型の外部蓄電池７とを採用している。さらに、図１０に示すように、高電圧発生装置６もグリップ部４の外部に出して、グリップ部４とは別体に構成することもできる。これにより、グリップ部４の軽量化やさらなる高電圧化等への対応が可能である。さらに、高電圧制御スイッチ１０も同様に外部の高電圧発生装置６に付加することもできる。
【００５６】
本実施形態によっても、第一実施形態と共通する部分については、同実施形態と同様の効果を得ることができる。
【００５７】
次に、図１２及び図１３は本発明を具体化した第五実施形態の静電噴霧装置を示している。本実施形態の静電噴霧装置は、以下の点において、主に第一実施形態と相違している。
【００５８】
本実施形態の静電噴霧装置は、噴霧中心方向から所定範囲以上に液滴１０２が飛散することを防止するように噴霧の周囲を囲う飛散防止カバー１００を環状電極１９の前側に備えている。この飛散防止カバー１００は、絶縁材料からなっており、先端側ほど拡径した円筒状に形成されるとともに、その内側に付着した液滴１０２を外へ逃がすための複数（本例では４つ）の開口１０１を電極側に有している。また、飛散防止カバー１００は、その基端側内周縁部１００ａがノズルユニット３１の先端側外周縁部３１ａに嵌挿可能に形成されることにより、ノズルユニット３１に対して着脱可能に構成されている。
【００５９】
なお、本例のノズルユニット３１の電極ホルダ１８は、ベース部１８ａが、電極カバー部１８ｃと略同径の円板状に形成されている点が、第一実施形態と相違しているが、同実施形態と同様に形成してもよい。
【００６０】
本実施形態によれば、第一実施形態の効果に加え、飛散防止カバー１００を備えているので、図１３に示すように、環状電極１９の前側から該電極外周側を経て該電極後方に向かう電気力線に沿って液滴１０２が飛散することを防止することができる。従って、ノズルユニット３１（噴霧ノズル１７、電極ホルダ１８等）、噴管１１等への液滴１０２の付着による汚れや、作業者への液滴１０２の付着を大幅に軽減することができる。
【００６１】
また、飛散防止カバー１００は、電極ホルダ１８に着脱可能に構成されているので、噴霧ノズル１７と環状電極１９との間の印加電圧を高めに設定している場合のように、液滴１０２が電極後方に飛散し易い場合に、必要に応じて飛散防止カバー１００を取り付けることができる。
【００６２】
また、飛散防止カバー１００は、開口１０１を有しているので、特に上方に向けて噴霧しているときに噴霧薬液が飛散防止カバー１００内側に溜まるのを防止することができる。
【００６３】
次に、図１４及び図１５は本発明を具体化した第六実施形態の静電噴霧装置を示している。本実施形態の静電噴霧装置は、以下の点において、主に第一実施形態と相違している。
【００６４】
本実施形態の静電噴霧装置は、噴霧ノズル１７及び環状電極１９を遠隔支持するための噴管１１に対して噴霧ノズル１７及び環状電極１９を回動可能に支持する回動部１１０を備えるとともに、該回動部１１０の回動角度を噴管１１の遠隔支持側で操作するための遠隔操作部１１１を備えている。
【００６５】
回動部１１０は、本例ではノズルユニット３１における噴霧ノズル１７とコネクタ１４との間に設けられ、噴管１１の長さ方向に略直交する軸１１５を中心に回動可能に構成されている。なお、本例では、図１５に示すように、回動部１１０のノズル側部位１１０ａ及びコネクタ側部位１１０ｂの接合部と、該コネクタ側部位１１０ｂ及び軸１１５の接合部とには、薬液が漏れないようにゴム製のＯリング１１６，１１７がそれぞれ配設されている。
【００６６】
遠隔操作部１１１は、噴管１１のグリップ側において該噴管１１の軸回り方向に回動可能に嵌挿された回転グリップ１２０と、回転グリップ１２０の中心軸と同心位置に設けられた駆動ギア１２１と、噴管１１の両端側においてそれぞれ軸受け１２２，１２３により回転可能に支持された回転軸１２４と、該回転軸１２４のグリップ側（遠隔支持側）に設けられ、駆動ギア１２１に噛合する被動ギア１２８と、回転軸１２４の回動部側において回転軸１２４の回転を回動部１１０のノズル側部位１１０ａに伝動する食い違い歯車１２５とを備えている。本例の食い違い歯車１２５は、回転軸１２４の回動部側に設けられたウォーム１２６と、回動部１１０のノズル側部位１１０ａにおいて中心軸が軸１１５に一致するように設けられたウォームホイール１２７とからなっている。そして、回転グリップ１２０を回転すると、その回転が回動部１１０に伝動され、そのノズル側部位１１０ａが回動するようになっている。
【００６７】
本実施形態によれば、第一実施形態の効果に加え、薬液の液滴が付着するとともに高電圧が印加されるノズルユニット３１に触れることなく、その回動角度を手元で調整することができる。また、噴霧作業を中断することなく、噴霧しながらノズルユニット３１の回動角度の操作が可能であるため、植物に対して適切に噴霧方向を変更することができ、作業性が向上する。
【００６８】
次に、図１６は本発明を具体化した第七実施形態の静電噴霧装置を示している。本実施形態の静電噴霧装置は、以下のように遠隔操作部１３０の構成が、主に第六実施形態と相違している。
【００６９】
本実施形態の遠隔操作部１３０は、噴管１１のグリップ側に取り付けられたサブグリップ１３１と、該サブグリップ１３１の基端側に軸１３２で回動自在に取り付けられた駆動レバー１３３と、回動部１１０のノズル側部位１１０ａに設けられた被動レバー１３４と、噴管１１と略平行に延びて駆動レバー１３３及び被動レバー１３４を連結するリンク１３５とを備えている。そして、駆動レバー１３３を回動させると、その回動がリンク１３５及び被動レバー１３４により回動部１１０に伝動され、そのノズル側部位１１０ａが回動するようになっている。
【００７０】
本実施形態によっても、第六実施形態と同様の効果を得ることができる。
【００７１】
次に、図１７は本発明を具体化した第八実施形態の静電噴霧装置を示している。本実施形態の静電噴霧装置は、以下のように遠隔操作部１４０の構成が、主に第六実施形態と相違している。
【００７２】
本実施形態の遠隔操作部１４０は、噴管１１のグリップ側に取り付けられたサブグリップ１３１と、該サブグリップ１３１の基端側に軸１３２で回動自在に取り付けられた駆動レバー１３３と、回動部１１０のノズル側部位１１０ａに軸１１５と同心位置に設けられたプーリ１４１と、一端側が該プーリ１４１に固定されるとともに巻き掛けられ、他端側が駆動レバー１３３に固定されたワイヤ１４２と、回動部１１０をワイヤ１４２の反巻き掛け方向に付勢するための付勢手段としてのバネ１４３とを備えている。そして、駆動レバー１３３をサブグリップ１３１に引きつけるように回動させると、その回動がワイヤ１４２及びプーリ１４１により回動部１１０に伝動され、そのノズル側部位１１０ａがワイヤ１４２の巻き掛け方向に回動し、駆動レバー１３３を開放するとバネ１４３によりノズル側部位１１０ａがワイヤ１４２の反巻き掛け方向に回動するようになっている。
【００７３】
本実施形態によっても、第六実施形態と同様の効果を得ることができる。
【００７４】
次に、図１８は本発明を具体化した第九実施形態の静電噴霧装置を示している。本実施形態の静電噴霧装置は、以下のように遠隔操作部１５０の構成が、主に第六実施形態と相違している。
【００７５】
本実施形態の遠隔操作部１５０は、噴管１１のグリップ側に取り付けられたサブグリップ１３１と、該サブグリップ１３１の基端側に軸１５１で回動自在に設けられた駆動プーリ１５２と、該駆動プーリ１５２に取り付けられたレバー１５３と、回動部１１０のノズル側部位１１０ａに軸１１５と同心位置に設けられた被動プーリ１５４と、両プーリ１５２，１５４に巻き掛けられたワイヤ１５５とを備えている。そして、レバー１５３を持って駆動プーリ１５２を回動させると、その回動がワイヤ１５５及び被動プーリ１５４により回動部１１０に伝動され、そのノズル側部位１１０ａが回動するようになっている。
【００７６】
本実施形態によっても、第六実施形態と同様の効果を得ることができる。
【００７７】
なお、本発明は前記実施形態に限定されるものではなく、例えば以下のように、発明の趣旨から逸脱しない範囲で適宜変更して具体化することもできる。
（１）本発明の静電噴霧装置を液肥の散布に使用すること。
（２）第六〜九実施形態において、遠隔操作部を電動の駆動源で駆動するように構成すること。
【００７８】
【発明の効果】
本発明に係る静電噴霧装置によれば、静電効果を安定的に発揮させることができるという優れた効果を奏する。
【図面の簡単な説明】
【図１】本発明の第一実施形態に係る静電噴霧装置の全体構成を示す断面図である。
【図２】同静電噴霧装置の高電圧発生装置を示すブロック図である。
【図３】同静電噴霧装置の積層圧電インバータを示すブロック図である。
【図４】同静電噴霧装置の電極部を示す断面図である。
【図５】同静電噴霧装置の電極部を示す図であり、（ａ）は電極部の断面図、（ｂ）は（ａ）のｂ−ｂ線断面図、（ｃ）は（ａ）のｃ−ｃ線断面図である。
【図６】同静電噴霧装置のノズルユニットを示す斜視図である。
【図７】本発明の第二実施形態に係る静電噴霧装置の電極ホルダを示す断面図である。
【図８】本発明の第三実施形態に係る静電噴霧装置の電極ホルダを示す断面図である。
【図９】本発明の第四実施形態に係る静電噴霧装置の構成を示すブロック図である。
【図１０】同静電噴霧装置の構成の変更例を示すブロック図である。
【図１１】従来の静電噴霧装置の電極ホルダを示す断面図である。
【図１２】本発明の第五実施形態に係る静電噴霧装置のノズル部を示す斜視図である。
【図１３】同ノズル部を示す断面図である。
【図１４】本発明の第六実施形態に係る静電噴霧装置の側面図である。
【図１５】同静電噴霧装置のノズル部の平断面図である。
【図１６】本発明の第七実施形態に係る静電噴霧装置の側面図である。
【図１７】本発明の第八実施形態に係る静電噴霧装置の側面図である。
【図１８】本発明の第九実施形態に係る静電噴霧装置の側面図である。
【符号の説明】
１　　収容タンク
２　　ポンプ
４　　グリップ部
５　　薬液供給制御弁
６　　高電圧発生装置
７　　蓄電池
８　　操作レバー
９　　手持ち式ノズル部
１０　　高電圧制御スイッチ
１１　　噴管
１２　　接続チューブ
１３　　高電圧ケーブル
１４　　コネクタ
１５　　薬液用コネクタ
１６　　高電圧ケーブルコネクタ
１７　　噴霧ノズル
１８　　電極ホルダ
１９　　電極
２０　　噴霧
２５　　開口
３０　　取付キャップネジ
３１　　ノズルユニット
５０　　ノズルユニット
５１　　電極
５２　　電極ホルダ
５５　　ノズルユニット
１００　飛散防止カバー
１０１　開口
１０２　液滴
１１０　回動部
１１１　遠隔操作部
１３０　遠隔操作部
１４０　遠隔操作部
１５０　遠隔操作部
【図１】
2004122091.tif 000003
【図２】
2004122091.tif 000004
【図３】
2004122091.tif 000005
【図４】
2004122091.tif 000006
【図５】
2004122091.tif 000007
【図６】
2004122091.tif 000008
【図７】
2004122091.tif 000009
【図８】
2004122091.tif 000010
【図９】
2004122091.tif 000011
【図１０】
2004122091.tif 000012
【図１１】
2004122091.tif 000013
【図１２】
2004122091.tif 000014
【図１３】
2004122091.tif 000015
【図１４】
2004122091.tif 000016
【図１５】
2004122091.tif 000017
【図１６】
2004122091.tif 000018
【図１７】
2004122091.tif 000019
【図１８】
2004122091.tif 000020